(57)【特許請求の範囲】
【請求項１】
２Ｇ又は３Ｇネットワーク内のネットワーク要素によって、現在のサービスタイプがショートメッセージであることを判定（４１）し、
端末がアイドル状態にある場合、前記端末が接続済み状態にあり、かつ、前記端末の動作モードがＩｕモードである場合、又は、前記端末が前記接続済み状態にあり、かつ、前記端末の前記動作モードがＡ／Ｇｂモードで、かつ、デュアル転送モード（ＤＴＭ）が前記端末によってサポートされている場合、
前記ネットワーク要素によって、回線交換（ＣＳ）ドメイン指示情報を運ぶページングメッセージを、前記端末に送信し、
前記端末は、ページング応答メッセージを、ＣＳ接続を介して、モバイスサービススイッチングセンター／ビジターロケーションレジスタ（ＭＳＣ／ＶＬＲ）に直接送信し、前記ショートメッセージを、前記ＣＳ接続を介して、ＭＳＣ／ＶＬＲから受信すること
を含む、ショートメッセージを処理する方法。
【請求項２】
前記２Ｇ又は３Ｇネットワーク内の前記ネットワーク要素によって、前記現在のサービスタイプがショートメッセージであることを判定することは、
前記ネットワーク要素によって、受信されたページング指示メッセージに従って、前記現在のサービスタイプがショートメッセージであることを判定すること
を含み、ここで、前記ページング指示メッセージは、サービス指示情報を運び、前記サービス指示情報は、前記現在のサービスタイプがショートメッセージであることを示す、請求項１に記載の方法。
【請求項３】
現在のサービスタイプがショートメッセージであることを判定するように構成された、サービスタイプ判定ユニット（８１）と、
端末がアイドル状態にある場合、前記端末が接続済み状態にあり、かつ、前記端末の動作モードがＩｕモードである場合、又は、前記端末が前記接続済み状態にあり、かつ、前記端末の前記動作モードがＡ／Ｇｂモードで、かつ、デュアル転送モード（ＤＴＭ）が前記端末によってサポートされている場合、回線交換（ＣＳ）ドメイン指示情報を運ぶページングメッセージを、前記端末に送信し、前記端末は、ページング応答メッセージを、ＣＳ接続を介して、モバイスサービススイッチングセンター／ビジターロケーションレジスタ（ＭＳＣ／ＶＬＲ）に直接送信し、前記ショートメッセージを、前記ＣＳ接続を介して、ＭＳＣ／ＶＬＲから受信するように構成された、配信ユニット（８３）と
を備える、ショートメッセージを処理する装置。
【請求項４】
ページング指示メッセージを受信するように構成された受信ユニットを更に備え、ここで、前記ページング指示メッセージは、サービス指示情報を運び、前記サービス指示情報は、前記現在のサービスタイプがショートメッセージであることを示し、
前記サービスタイプ判定ユニットは、前記受信ユニットによって受信された前記ページング指示メッセージに従って、前記現在のサービスタイプがショートメッセージであることを判定するように構成される、
請求項３に記載の装置。
【発明の詳細な説明】
【技術分野】
【０００１】
本発明は、通信技術の分野に関し、特に、ショートメッセージを処理する方法、装置、及びシステムに関する。
【背景技術】
【０００２】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ  、３ＧＰＰ）は、既存の２Ｇ及び３Ｇネットワークに基づいた、発展型パケットシステム（Ｅｖｏｌｖｅｄ  Ｐａｃｋｅｔ  Ｓｙｓｔｅｍ）を発表した。ＥＰＳネットワークの初期の構築の間、事業者は、成熟した回線交換（Ｃｉｒｃｕｉｔ  Ｓｗｉｔｃｈ、ＣＳ）ネットワークをすでに有しており、ＥＰＳネットワークは、データサービスのみを処理する。ＣＳ投資の保護、及びＥＰＳネットワークの展開戦略を考慮して、事業者は、ＣＳサービスを提供するために、元のＣＳドメイン装置を使用する可能性がある。そのような必要に基づいて、３ＧＰＰは、ＣＳフォールバック（Ｆａｌｌｂａｃｋ）技術（すなわち、ＣＳサービスが処理される必要がある場合、発展型ＵＭＴＳ地上無線アクセスネットワーク（Ｅｖｏｌｖｅｄ  ＵＭＴＳ  Ｔｅｒｒｉｔｏｒｉａｌ  Ｒａｄｉｏ  Ａｃｃｅｓｓ  Ｎｅｔｗｏｒｋ、Ｅ−ＵＴＲＡＮ）によってカバーされる端末が、サービス処理を完了するために、ＣＳネットワークにハンドオーバされる）を発表した。このようにして、従来のＣＳサービスをＥＰＳネットワーク内のユーザに提供するために、既存のＣＳドメイン装置が再利用される、という目的が達成される。
【０００３】
ショートメッセージサービスは、現在、ＣＳサービスの重要な構成部分である。事業者は、ＥＰＳネットワーク内で既存のショートメッセージサービスを提供し続け、モバイル発信（Ｍｏｂｉｌｅ  Ｏｒｉｇｉｎａｔｉｎｇ、ＭＯ）、及びモバイル着信（Ｍｏｂｉｌｅ  Ｔｅｒｍｉｎａｔｉｎｇ、ＭＴ）ショートメッセージサービスを実施することを希望している。その上、Ｅ−ＵＴＲＡＮが、ＧＳＭ（登録商標）／ＥＤＧＥ無線アクセスネットワーク（ＧＳＭ（登録商標）／ＥＤＧＥ  Ｒａｄｉｏ  Ａｃｃｅｓｓ  Ｎｅｔｗｏｒｋ、ＧＥＲＡＮ）、又はＵＭＴＳ地上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、ＵＴＲＡＮ）とオーバラップする、又は隣接する地域において、端末は、異なるアクセスネットワーク間で頻繁にハンドオーバされ、これにより、大量の不当な位置更新シグナリングがもたらされ、無線インタフェースのシグナリング負荷が増加する。３ＧＰＰは、頻繁なネットワークハンドオーバによって発生する位置更新シグナリングを、一定範囲内の異なるアクセスネットワークへの、端末の二重登録という手法で削減する、アイドル状態シグナリング削減（Ｉｄｌｅ  Ｓｔａｔｅ  Ｓｉｇｎａｌｉｎｇ  Ｒｅｄｕｃｔｉｏｎ、ＩＳＲ）メカニズムを導入した。
【０００４】
ＩＳＲがアクティブである場合、モビリティ管理エンティティ（Ｍｏｂｉｌｉｔｙ  Ｍａｎａｇｅｍｅｎｔ  Ｅｎｔｉｔｙ、ＭＭＥ）は、モバイルサービススイッチングセンター（Ｍｏｂｉｌｅ−ｓｅｒｖｉｃｅｓ  Ｓｗｉｔｃｈｉｎｇ  Ｃｅｎｔｒｅ、ＭＳＣ）からページングメッセージを受信した後、ページング（Ｐａｇｉｎｇ）メッセージ（ここで、ページングメッセージは、パケット交換（Ｐａｃｋｅｔ  Ｓｗｉｔｃｈ、ＰＳ）ドメイン指示を運ぶ）を、Ｅ−ＵＴＲＡＮを介して、端末に発する。一方で、ＭＭＥは、ページング指示メッセージを、関連するサービング汎用パケット無線サービス（Ｇｅｎｅｒａｌ  Ｐａｃｋｅｔ  Ｒａｄｉｏ  Ｓｅｒｖｉｃｅ、ＧＰＲＳ）サポートノード（Ｓｅｒｖｉｎｇ  ＧＰＲＳ  Ｓｕｐｐｏｒｔ  Ｎｏｄｅ、ＳＧＳＮ）に送信する。ＳＧＳＮは、ＣＳドメイン指示を運ぶページングメッセージを、ＧＥＲＡＮ又はＵＴＲＡＮを介して、端末に送信する。端末は、ページングメッセージ内のドメイン指示に従って、対応するサービスを実行する。
【発明の概要】
【発明が解決しようとする課題】
【０００５】
しかし、従来技術には、多くの問題が存在する。例えば、モバイル着信（ｍｏｂｉｌｅ  ｔｅｒｍｉｎａｔｅｄ）ショートメッセージサービスのシナリオにおいて、端末が、ＳＧＳＮのページングメッセージを受信する際に、ＰＳサービスを実行している場合、端末は、ＣＳドメイン指示を運ぶページングメッセージを受信した後、進行中のＰＳサービスを一時停止し、ＣＳドメインに戻って、ショートメッセージを受信し、これにより、ユーザの現在のＰＳサービスの中断がもたらされる。
【課題を解決するための手段】
【０００６】
従来技術において存在する問題を解決するために、本発明の実施形態は、ショートメッセージを処理する方法、装置、及びシステムを提供する。
【０００７】
前述の目的を達成するために、本発明の実施形態は、以下の技術的解決法を採用する。
【０００８】
ショートメッセージを処理する方法は、
２Ｇ又は３Ｇ内のネットワーク要素によって、現在のサービスタイプがショートメッセージであることを判定し、
ネットワーク要素によって、モビリティ管理エンティティＭＭＥによって送信されたショートメッセージを受信し、
ネットワーク要素によって、ショートメッセージを、確立されたパケット交換ＰＳ接続を介して、端末に配信することを含む。
【０００９】
ショートメッセージを処理する装置は、
現在のサービスタイプがショートメッセージであることを判定するように構成された、サービスタイプ判定ユニットと、
モビリティ管理エンティティＭＭＥによって送信されたショートメッセージを受信するように構成された、受信ユニットと、
ショートメッセージを、確立されたパケット交換ＰＳ接続を介して、端末に配信するように構成された、配信ユニットとを含む。
【００１０】
通信システムは、端末と、モビリティ管理エンティティＭＭＥと、サービング汎用パケット無線サービスＧＰＲＳサポートノードＳＧＳＮとを含み、ここで、
ＳＧＳＮは、現在のサービスタイプがショートメッセージであることを判定し、ＭＭＥによって送信されたショートメッセージを受信し、ショートメッセージを、確立されたパケット交換ＰＳ接続を介して、端末に配信するように構成される。
【００１１】
本発明の実施形態で提供される技術的解決法によれば、現在のサービスタイプがショートメッセージサービスであることを判定した後、２Ｇ又は３Ｇ内のネットワーク要素は、受信されたショートメッセージを、ＰＳ接続を介して、端末に配信し、これにより、端末が、ショートメッセージを、現在のＰＳサービスを中断させないという前提で、適時に受信することが可能になり、ユーザ体験が向上する。
【００１２】
ショートメッセージを処理する方法は、
２Ｇ又は３Ｇ内のネットワーク要素によって、現在のサービスタイプがショートメッセージであることを判定し、
ネットワーク要素によって、端末の接続状態、端末の動作モード、及びネットワーク機能に従って、ショートメッセージ配信方法を選択し、
配信方法に従って、ショートメッセージを、端末に配信することを含む。
【００１３】
ショートメッセージを処理する装置は、
現在のサービスタイプがショートメッセージであることを判定するように構成された、サービスタイプ判定ユニットと、
端末の接続状態、端末の動作モード、及びネットワーク機能に従って、ショートメッセージ配信方法を選択するように構成された、配信方法選択ユニットと、
配信方法に従って、ショートメッセージを、端末に配信するように構成された、配信ユニットとを含む。
【００１４】
本発明の実施形態における技術的解決法によれば、端末の接続状態、及び動作モードに従って、ショートメッセージ処理手法が選択され、端末が、ショートメッセージを、現在のＰＳサービスを中断させないという前提で、受信することが可能になり、これにより、ユーザ体験が向上し、ショートメッセージサービスのリソース消費が減少し、ネットワークリソースの利用率が最適化される。
【００１５】
本発明の実施形態による、又は従来技術における技術的解決法を、より明確に説明するために、実施形態又は従来技術を説明するために必要とされる添付の図面について、以下に簡単に紹介する。明らかに、以下の説明における添付の図面は、本発明のいくつかの実施形態にすぎず、当業者は、これらの添付の図面に従って、創造的な活動を行うことなく、その他の添付の図面を取得することが可能である。
【図面の簡単な説明】
【００１６】
【図１】本発明の実施形態による適用シナリオの概略図である。
【図２】本発明の第１の実施形態による、ショートメッセージを処理する方法の概略図である。
【図３】本発明の第２の実施形態による、ショートメッセージの処理のフロー図である。
【図４】本発明の第３の実施形態による、ショートメッセージを処理する方法の概略図である。
【図５】本発明の第４の実施形態による、ショートメッセージの処理のフロー図である。
【図６】本発明の第５の実施形態による、ショートメッセージを処理する装置の概略構成図である。
【図７】本発明の第５の実施形態による、ショートメッセージを処理する装置の、別の概略構成図である。
【図８】本発明の第６の実施形態による、ショートメッセージを処理する装置の概略構成図である。
【図９】本発明の第７の実施形態による通信システムの、簡略化された概略構成図である。
【発明を実施するための形態】
【００１７】
本発明の実施形態における技術的解決法について、本発明の実施形態における添付の図面を参照して、以下に明確かつ完全に説明する。明らかに、説明される実施形態は、本発明の実施形態の全てではなく、一部にすぎない。当業者によって、本発明の実施形態に基づいて、創造的な活動を行うことなく取得される、全てのその他の実施形態は、本発明の保護範囲内に入る。
【００１８】
図１は、本発明の一実施形態による、ショートメッセージサービスの実施の適用シナリオの概略図であり、これは、ショートメッセージを送信又は受信するように構成された、ショートメッセージサービスセンター（Ｓｈｏｒｔ  Ｍｅｓｓａｇｅ  Ｓｅｒｖｉｃｅ  Ｃｅｎｔｒｅ、ＳＭ−ＳＣ）と、ショートメッセージの転送、及びルーティング情報の取得に関与する、ショートメッセージサービスゲートウェイモバイルサービススイッチングセンター（Ｓｈｏｒｔ  Ｍｅｓｓａｇｅ  Ｓｅｒｖｉｃｅ  Ｇａｔｅｗａｙ  ＭＳＣ、ＳＭＳ−ＧＭＳＣ）と、ユーザ加入データ、及びショートメッセージルーティング情報を記憶するように構成された、ホーム加入者サーバ（Ｈｏｍｅ  Ｓｕｂｓｃｒｉｂｅｒ  Ｓｅｒｖｅｒ、ＨＳＳ）と、ユーザ装置（Ｕｓｅｒ  Ｅｑｕｉｐｍｅｎｔ、ｕｓｅｒ  ｅｑｕｉｐｍｅｎｔ）とのＣＳサービスのスイッチング、及びＭＭＥとのＳＧｓインタフェース接続の管理に関与する、モバイルサービススイッチングセンター（Ｍｏｂｉｌｅ−ｓｅｒｖｉｃｅｓ  Ｓｗｉｔｃｈｉｎｇ  Ｃｅｎｔｒｅ、ＭＳＣ）と、ユーザコンテキスト、及びモビリティ状態の管理、並びに、一時的ユーザアイデンティティの割り当てなどを含む、ＥＰＳネットワーク制御プレーンのモビリティ管理に関与する、モビリティ管理エンティティ（Ｍｏｂｉｌｉｔｙ  Ｍａｎａｇｅｍｅｎｔ  Ｅｎｔｉｔｙ、ＭＭＥ）と、ＧＰＲＳ／ＵＭＴＳネットワーク内の、ルート転送、モビリティ管理、セッション管理、及び加入者情報記憶などの機能を実施するように構成された、ＳＧＳＮと、既存のＧＰＲＳ／ＵＭＴＳネットワーク内の、全ての無線関連機能を実施するように構成された、ＧＳＭ（登録商標）／ＥＤＧＥ無線アクセスネットワーク（ＧＳＭ（登録商標）／ＥＤＧＥ  Ｒａｄｉｏ  Ａｃｃｅｓｓ  Ｎｅｔｗｏｒｋ、ＧＥＲＡＮ）、及びＵＭＴＳ地上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、ＵＴＲＡＮ）と、ＥＰＳネットワークの全ての無線関連機能を実施するように構成された、発展型ＵＭＴＳ地上無線アクセスネットワーク（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）とを含む。
【００１９】
図２を参照すると、本発明の第１の実施形態で提供される、ショートメッセージを処理する方法は、以下を含む。
【００２０】
ステップ２１：２Ｇ又は３Ｇ内のネットワーク要素は、現在のサービスタイプがショートメッセージであることを判定する。
【００２１】
ステップ２２：ネットワーク要素は、モビリティ管理エンティティによって送信されたショートメッセージを受信する。
【００２２】
ステップ２３：ネットワーク要素は、ショートメッセージを、確立されたパケット交換ＰＳ接続を介して、端末に配信する。
【００２３】
アイドル状態シグナリング削減（Ｉｄｌｅ  Ｓｔａｔｅ  Ｓｉｇｎａｌｉｎｇ  Ｒｅｄｕｃｔｉｏｎ、ＩＳＲ）が、前述の、２Ｇ又は３Ｇ内のネットワーク要素と、モビリティ管理エンティティとの間でアクティブにされ、これにより、ネットワーク要素は、モビリティ管理エンティティによって送信されたショートメッセージを受信する。２Ｇ又は３Ｇ内のネットワーク要素は、サービング汎用パケット無線サービスサポートノード（Ｓｅｒｖｉｎｇ  ＧＰＲＳ  Ｓｕｐｐｏｒｔｉｎｇ  Ｎｏｄｅ、ＳＧＳＮ）、又は、対応する機能を有する別のネットワーク要素であってもよい。前述の端末は、ユーザ装置（Ｕｓｅｒ  Ｅｑｕｉｐｍｅｎｔ、ＵＥ）であってもよい。
【００２４】
本発明の実施形態で提供される技術的解決法では、現在のサービスタイプがショートメッセージサービスであることを判定した後、２Ｇ又は３Ｇ内のネットワーク要素は、受信されたショートメッセージを、ＰＳ接続を介して、端末に配信し、これにより、端末が、ショートメッセージを、現在のＰＳサービスを中断させないという前提で、受信することが可能になり、ユーザ体験が向上する。
【００２５】
本発明の第２の実施形態で提供される、ショートメッセージを処理する方法について、以下に詳細に説明する。図３を参照すると、以下の処理が特に含まれる。
【００２６】
３０１．ショートメッセージサービスセンター（ＳＭ−ＳＣ）は、ユーザ装置着信ショートメッセージサービスを開始することを決定し、１つ以上のショートメッセージを、ＳＭＳ−ＧＭＳＣに送信する。
【００２７】
３０２．ＳＭ−ＳＣによって送信されたショートメッセージを受信した後、ＳＭＳ−ＧＭＳＣは、ショートメッセージルーティング情報（ＭＳＣ番号など）を、ＨＳＳから受信する。
【００２８】
３０３．ＳＭＳ−ＧＭＳＣは、ショートメッセージを、ＭＳＣ／ＶＬＲに転送する。
【００２９】
３０４．ＭＳＣ／ＶＬＲは、ＭＭＥとのＳＧｓインタフェース接続を検出し、ＭＭＥに、ページング要求メッセージ（ＳＧｓＡＰ−ＰＡＧＩＮＧ−ＲＥＱＵＥＳＴ）を送信し、ここで、ページング要求メッセージは、現在のページングされるサービスタイプがショートメッセージであることを示す。
【００３０】
３０５ａ．ＭＭＥは、ページングメッセージを、ユーザ装置に送信し、ここで、メッセージは、ＰＳドメイン指示を運ぶ。ＩＳＲがアクティブであるため、この場合、以下も含まれる。
【００３１】
３０５ｂ．ＭＭＥは、ページング指示メッセージを、関連するＳＧＳＮに送信し、ここで、ページング指示メッセージは、現在のページングされるサービスタイプがショートメッセージであることを示す。例えば、ページング指示メッセージは、サービス指示を運び、ここで、サービス指示は、現在のサービスタイプがショートメッセージであることを示す。従って、ＳＧＳＮは、現在ページングされているサービスが、ショートメッセージであるということを取得してもよい。
【００３２】
３０６．ＭＭＥのページング指示メッセージを受信した後、ＳＧＳＮは、現在のサービスタイプがショートメッセージであることを判定する。この場合、ユーザ装置が、接続済み（ｃｏｎｎｅｃｔｅｄ）状態にあるならば、ステップ３０７が直接実行され、そうではなく、ユーザ装置が、アイドル（ｉｄｌｅ）状態にあるならば、ステップ３０６ａ、及び３０６ｂが最初に実行される。
【００３３】
３０６ａ．ＳＧＳＮは、ページングメッセージを、ユーザ装置に送信し、ここで、ページングメッセージは、ＰＳ接続の確立をトリガするための、ＰＳドメイン指示を運ぶ。
【００３４】
３０６ｂ．ユーザ装置は、ページング応答メッセージを、ＳＧＳＮに送信し、これにより、ＳＧＳＮは、ＰＳ接続の確立が完了したことを認識する。
【００３５】
３０７．ＳＧＳＮは、アクノリッジメントメッセージを、ＭＭＥに送信する。
【００３６】
ＳＧＳＮは、前述のアクノリッジメントメッセージを介して、ＭＭＥに、ユーザ装置が現在２Ｇ又は３Ｇネットワーク（ＧＥＲＡＮ又はＵＴＲＡＮネットワークなど）上に在圏（ｃａｍｐｓ  ｏｎ）しており、かつ、ＰＳ接続がすでに確立されたことを通知する。アクノリッジメントメッセージは、ＧＰＲＳトンネリングプロトコル（ＧＰＲＳ  Ｔｕｎｎｅｌｉｎｇ  Ｐｒｏｔｏｃｏｌ、ＧＴＰ）メッセージによって実施されてもよい。
【００３７】
３０８．アクノリッジメントメッセージを、ＳＧＳＮから受信した後、ＭＭＥは、以下の動作を実行する。
【００３８】
３０８ａ．ＭＭＥは、サービス要求（ＳＧｓＡＰ−ＳＥＲＶＩＣＥ−ＲＥＱＵＥＳＴ）メッセージを、ＭＳＣ／ＶＬＲに送信して、ショートメッセージの配信を開始するよう、ＭＳＣ／ＶＬＲに要求する。
【００３９】
３０８ｂ．ＭＳＣ／ＶＬＲは、サービス要求を受信した後、現在のページングを停止し、ダウンリンクユニットデータ（ＳＧｓＡＰ−ＤＯＷＮＬＩＮＫ−ＵＮＩＴＤＡＴＡ）メッセージを、ＭＭＥに送信して、ショートメッセージを、ＭＭＥに配信する。
【００４０】
３０９．ＭＭＥは、ショートメッセージを、ＳＧＳＮに配信する。例えば、ＭＭＥは、ショートメッセージを、ＧＴＰメッセージを介して、ＳＧＳＮに配信する。
【００４１】
３１０ａ．ＳＧＳＮは、ショートメッセージを、現在確立されているＰＳ接続を介して、ユーザ装置に配信する。
【００４２】
３１０ｂ．ショートメッセージを受信した後、ユーザ装置は、ショートメッセージ受信アクノリッジメントメッセージを、ＳＧＳＮに送信する。
【００４３】
３１１．ＳＧＳＮは、ショートメッセージ受信アクノリッジメントメッセージを、ＧＴＰメッセージを介して、ＭＭＥに送信する。
【００４４】
３１２．ＭＭＥは、アップリンクユニットデータ（ＳＧｓＡＰ−ＵＰＬＩＮＫ−ＵＮＩＴＤＡＴＡ）メッセージを、ＭＳＣ／ＶＬＲに送信して、ショートメッセージ受信アクノリッジメントメッセージを、ＭＳＣ／ＶＬＲに配信し、次に、ＭＳＣ／ＶＬＲは、ショートメッセージ受信アクノリッジメントメッセージを、ＳＭＳ−ＧＭＳＣを経由して、ＳＭ−ＳＣに転送する。
【００４５】
３１３．必要に応じて、ショートメッセージ伝送が終了した後、ＭＳＣ／ＶＬＲは、解放要求メッセージ（ＳＧｓＡＰ−ＲＥＬＥＡＳＥ−ＲＥＱＵＥＳＴメッセージなど）を、ＭＭＥに送信し、ＭＭＥは、解放要求に従って、指示情報を、ＳＧＳＮに送信する。例えば、ＭＭＥは、指示メッセージを、ＧＴＰメッセージを介して、ＳＧＳＮに送信し、ここで、指示メッセージは、ＳＧＳＮに、ショートメッセージの伝送が完了したことを通知する。指示情報を受信した後、ＳＧＳＮは、ショートメッセージの配信のために確立されていたＰＳ接続を解放する。
【００４６】
ユーザ装置が、複数のショートメッセージを一度に受信する必要がある場合、全てのショートメッセージの受信を実施するために、前述のステップ３０８ｂ〜ステップ３１２が繰り返される。
【００４７】
本発明の実施形態で提供される技術的解決法では、現在のサービスタイプがショートメッセージサービスであることを判定した後、２Ｇ又は３Ｇネットワーク内のネットワーク要素は、受信されたショートメッセージを、ＰＳ接続を介して、端末に配信し、これにより、端末が、ショートメッセージを、現在のＰＳサービスを中断させないという前提で、受信することが可能になり、ユーザ体験が向上する。
【００４８】
本発明の実施形態の技術的解決法は、端末の特定の特徴（動作モード、及び接続状態など）を区別する必要のない、均一なショートメッセージ処理アーキテクチャを提供し、これにより、動作が単純化され、広い適用可能性を有するようになる。
【００４９】
図４を参照すると、本発明の第３の実施形態で提供される、ショートメッセージを処理する方法は、以下の処理を特に含む。
【００５０】
ステップ４１：２Ｇ又は３Ｇネットワーク内のネットワーク要素は、現在のサービスタイプがショートメッセージであることを判定する。
【００５１】
ステップ４２：ネットワーク要素は、端末の接続状態、端末の動作モード、及びネットワーク機能に従って、ショートメッセージ配信方法を選択する。
【００５２】
ステップ４３：配信方法に従って、ショートメッセージを、端末に配信する。
【００５３】
前述の端末の接続状態は、アイドル状態と、接続済み状態とを含む。端末の動作モードは、主として、Ｉｕモードで動作している端末と、Ａ／Ｇｂモードで動作しており、かつ、デュアル転送モード（Ｄｕａｌ  Ｔｒａｓｆｅｒ  Ｍｏｄｅ、ＤＴＭ）をサポートしている端末と、Ａ／Ｇｂモードで動作しており、しかし、ＤＴＭをサポートしていない端末とを含む。ネットワーク機能は、ＤＴＭをサポートしているネットワークと、ＤＴＭをサポートしていないネットワークとを、すなわち、ＰＳサービス及びＣＳサービスを同時に実行することができるネットワークと、ＰＳサービス及びＣＳサービスを同時に実行することができないネットワークとを含む。
【００５４】
本発明の実施形態における技術的解決法では、端末の接続状態、及び動作モードに従って、ショートメッセージ処理手法を選択し、これにより、端末が、ショートメッセージを、現在のＰＳサービスを中断させないという前提で、受信することが可能になり、ユーザ体験が向上し、ショートメッセージサービスのリソース消費が減少し、ネットワークリソースの利用率が最適化される。
【００５５】
図５を参照すると、本発明の第４の実施形態で提供される、ショートメッセージを処理する方法は、以下の処理を特に含む。
【００５６】
図５内のステップ５０１〜ステップ５０５ｂについては、図３内のステップ３０１〜ステップ３０５ｂを参照されたい。
【００５７】
ＭＭＥによって送信されたページング指示メッセージに従って、現在のサービスタイプがショートメッセージであることを判定した後、ＳＧＳＮは、端末（ユーザ装置など）の接続状態、端末の動作モード、及びネットワーク機能に従って、ショートメッセージ配信方法を選択する。少なくとも、以下の４つの状況が含まれる。
【００５８】
第１の状況では、ユーザ装置は、アイドル状態にある。
【００５９】
この場合、ユーザ装置の動作モード、及びネットワーク機能を調べる必要はなくてもよく、第１の配信方法が、ＣＳドメインを使用してショートメッセージの配信を完了するために、直接選択される。第１の配信方法では、ＳＧＳＮは、ページングメッセージを、ユーザ装置に送信し、ここで、ページングメッセージは、ＣＳドメイン指示情報を運ぶ。ユーザ装置は、ページング応答メッセージを、ＣＳ接続を介して、ＭＳＣ／ＶＬＲに直接送信する。ＭＳＣ／ＶＬＲは、ショートメッセージを、ＣＳ接続を介して、ユーザ装置に配信する。
【００６０】
この場合、第３の配信方法が、ＰＳドメインを使用してショートメッセージの配信を完了するために、選択されてもよい。第３の配信方法では、ＳＧＳＮは、メッセージを、ＭＭＥに送信して、ＭＭＥに、ショートメッセージをＰＳドメインを介して配信することを通知し、ＭＭＥは、メッセージを、ＳＧｓインタフェースを介して、ＭＳＣ／ＶＬＲに転送して、ＭＳＣ／ＶＬＲに、ショートメッセージをＰＳドメインを介して配信することを通知し、ＭＳＣ／ＶＬＲは、メッセージを、ＳＭＳ−ＧＭＳＣに送信し、これにより、ＳＭＳ−ＧＭＳＣは、ショートメッセージを、ＰＳドメインを介して、端末に配信する。
【００６１】
第２の状況では、ユーザ装置は、接続済み状態にあり、ユーザ装置の動作モードは、Ｉｕモードであり、又は、ユーザ装置の動作モードは、Ａ／Ｇｂモードで、かつ、ＤＴＭがサポートされており、ネットワーク側は、ＤＴＭをサポートする。
【００６２】
ユーザ装置が、Ｉｕモードにある場合、ユーザ装置は、ＰＳサービス及びＣＳサービスを同時に実行してもよい。この場合、ネットワーク側も、ＰＳサービス及びＣＳサービスを同時に実行できることが必要とされる。ユーザ装置が、Ａ／Ｇｂモードにあり、かつ、ＤＴＭをサポートする場合、ネットワーク側も、ＤＴＭをサポートすることが必要とされる。
【００６３】
この状況では、第１の配信方法が、ＣＳドメインを使用してショートメッセージの配信を完了するために、選択される。ＰＳサービスを実行している場合、ユーザ装置は、ＣＳサービスを同時に実行するために、ＣＳ接続を確立してもよい。図５内のステップ５０６を参照すると、ＳＧＳＮは、ページングメッセージを、ユーザ装置に送信し、ここで、ページングメッセージは、ＣＳドメイン指示情報を運ぶ。ユーザ装置は、ページング応答メッセージを、ＭＳＣ／ＶＬＲに直接送信する。ＭＳＣ／ＶＬＲは、ショートメッセージを、ＣＳドメインを介して、ユーザ装置に配信する。
【００６４】
この場合、第３の配信方法が、ＰＳドメインを使用してショートメッセージの配信を完了するために、選択されてもよい。第３の配信方法では、ＳＧＳＮは、メッセージを、ＭＭＥに送信して、ＭＭＥに、ショートメッセージをＰＳドメインを介して配信することを通知し、ＭＭＥは、メッセージを、ＳＧｓインタフェースを介して、ＭＳＣ／ＶＬＲに転送して、ＭＳＣ／ＶＬＲに、ショートメッセージをＰＳドメインを介して配信することを通知し、ＭＳＣ／ＶＬＲは、メッセージを、ＳＭＳ−ＧＭＳＣに送信し、これにより、ＳＭＳ−ＧＭＳＣは、ショートメッセージを、ＰＳドメインを介して、端末に配信する。
【００６５】
本発明の実施形態における技術的解決法の説明を容易にするために、本発明の実施形態では、「第１の」及び「第２の」などの語が、同じ、又は類似の事項（それらの機能及び効果は基本的に同じである）を区別するために使用される。当業者は、「第１の」及び「第２の」が、量、及び実行順序を限定するものではないことを理解するであろう。
【００６６】
第３の状況では、ユーザ装置は、接続済み状態にあり、ユーザ装置の動作モードは、Ａ／Ｇｂモードで、しかし、ＤＴＭがサポートされていない。
【００６７】
この状況では、ユーザ装置は、ＰＳサービス及びＣＳサービスを同時に実行することができない。現在のＰＳサービスを中断させないために、第２の配信方法（ショートメッセージの配信は、ユーザ装置の現在のＰＳサービスが終了するまで遅延させられる）が採用されてもよい。
【００６８】
図５内のステップ５０７ａ及びステップ５０７ｂを参照すると、ＳＧＳＮは、遅延指示情報を、ＭＭＥに送信し、ここで、遅延指示情報は、ＧＴＰメッセージによって実施されてもよい。ＭＭＥは、遅延指示情報を、ＳＧｓインタフェースを介して、ＭＳＣ／ＶＬＲに転送して、ＭＳＣ／ＶＬＲに、ユーザ装置のＰＳサービスが終了した後でショートメッセージをＣＳドメインを介してユーザ装置に配信することを通知する。
【００６９】
この状況では、ユーザ装置は、ＰＳサービス及びＣＳサービスを同時に実行することができない。現在のＰＳサービスを中断させないために、かつ、ユーザ装置がショートメッセージを適時に受信することを可能にするために、第３の配信方法が、ショートメッセージをＰＳドメインを介してユーザ装置に配信するために、採用されてもよい。
【００７０】
図５内のステップ５０８ａ〜５０８ｃを参照すると、ＳＧＳＮは、メッセージを、ＭＭＥに送信して、ＭＭＥに、ショートメッセージをＰＳドメインを介して配信することを通知し、ＭＭＥは、メッセージを、ＳＧｓインタフェースを介して、ＭＳＣ／ＶＬＲに転送して、ＭＳＣ／ＶＬＲに、ショートメッセージをＰＳドメインを介して配信することを通知し、ＭＳＣ／ＶＬＲは、メッセージを、ＳＭＳ−ＧＭＳＣに送信し、これにより、ＳＭＳ−ＧＭＳＣは、ショートメッセージを、ＰＳドメインを介して、ユーザ装置に配信する。
【００７１】
本発明の実施形態における技術的解決法では、端末の接続状態、及び動作モードに従って、ショートメッセージ処理手法を選択し、これにより、端末が、ショートメッセージを、現在のＰＳサービスを中断させないという前提で、受信することが可能になり、ユーザ体験が向上し、ショートメッセージサービスのリソース消費が減少し、ネットワークリソースの利用率が最適化される。
【００７２】
更に、ネットワーク及び端末の特定の特徴を区別することによって、本発明の実施形態は、複数のショートメッセージ配信方法を提供する。実際の適用例では、様々なニーズに応じて、対応するショートメッセージ配信方法が柔軟に選択されてもよく、これにより、既存のＣＳリソースの最大限の利用が可能になり、ショートメッセージの配信が、ＰＳサービスが影響を受けないことを保証しながら実施されるようになる。
【００７３】
従って、本発明の第５の実施形態は、ショートメッセージを処理する装置を提供する。図６を参照すると、この装置は、
現在のサービスタイプがショートメッセージであることを判定するように構成された、サービスタイプ判定ユニット６１と、
モビリティ管理エンティティＭＭＥによって送信されたショートメッセージを受信するように構成された、受信ユニット６２と、
ショートメッセージを、確立されたパケット交換ＰＳ接続を介して、端末に配信するように構成された、配信ユニット６３とを含む。
【００７４】
更に、受信ユニット６２は、ページング指示メッセージを受信するように構成され、ここで、ページング指示メッセージは、サービス指示情報を運び、サービス指示は、現在のサービスタイプがショートメッセージであることを示し、サービスタイプ判定ユニット６１は、受信ユニット６２によって受信されたページング指示メッセージに従って、現在のサービスタイプがショートメッセージであることを判定するように特に構成される。
【００７５】
更に、図７を参照すると、この装置は、アイドル状態にある端末に関して、ページングメッセージを、ページング指示メッセージを受信した後で、端末に送信するように構成された、トリガリングユニット６４を更に含み、ここで、端末に送信されるページングメッセージは、ＰＳ接続の確立をトリガするための、ＰＳドメイン指示情報を運ぶ。
【００７６】
受信ユニット６２は、端末によって送信されたページング応答メッセージを受信して、ＰＳ接続の確立が完了したことを取得するように更に構成される。
【００７７】
更に、この装置は、送信ユニット６５を含む。
【００７８】
送信ユニット６５は、アクノリッジメントメッセージを、ＭＭＥに送信して、ＭＭＥに、端末が２Ｇ又は３Ｇネットワーク上に在圏しており、かつ、ＰＳ接続を確立したことを通知するように構成され、これにより、ＭＭＥは、アクノリッジメントメッセージに従って、ショートメッセージを取得し、ショートメッセージを、受信ユニット６２に送信する。
【００７９】
本発明の装置実施形態における機能モジュール及びユニットの特定の動作手法については、本発明の方法実施形態を参照されたい。本発明の装置実施形態における機能モジュール及びユニットは、別個に実施されてもよく、また、１つ以上のユニット内に統合されることによって実施されてもよい。
【００８０】
本発明の実施形態は、前述の、ショートメッセージを処理する装置を含む、通信システムを更に提供する。ショートメッセージを処理する装置の特定の動作手法については、本発明の方法実施形態を参照されたい。
【００８１】
本発明の実施形態で提供される技術的解決法では、現在のサービスタイプがショートメッセージサービスであることを判定した後、２Ｇ又は３Ｇネットワーク内のネットワーク要素は、受信されたショートメッセージを、ＰＳ接続を介して、端末に配信し、これにより、端末が、ショートメッセージを、現在のＰＳサービスを中断させないという前提で、受信することが可能になり、ユーザ体験が向上する。
【００８２】
加えて、本発明の第６の実施形態は、ショートメッセージを処理する装置を更に提供してもよい。図８を参照すると、この装置は、
現在のサービスタイプがショートメッセージであることを判定するように構成された、サービスタイプ判定ユニット８１と、
端末の接続状態、端末の動作モード、及びネットワーク機能に従って、ショートメッセージ配信方法を選択するように構成された、配信方法選択ユニット８２と、
配信方法に従って、ショートメッセージを、端末に配信するように構成された、配信ユニット８３とを含む。
【００８３】
更に、配信方法選択ユニット８２は、端末が、アイドル状態にある場合、第１の配信方法、又は第３の配信方法を選択し、端末が、接続済み状態にあり、端末の動作モードが、Ｉｕモードである、又は、端末の動作モードが、Ａ／Ｇｂモードで、かつ、デュアル転送モードＤＴＭがサポートされている場合、第１の配信方法、又は第３の配信方法を選択し、端末が、接続済み状態にあり、端末の動作モードが、Ａ／Ｇｂモードで、しかし、ＤＴＭがサポートされていない場合、第２の配信方法、又は第３の配信方法を選択するように特に構成される。
【００８４】
本発明の装置実施形態における機能モジュール及びユニットの特定の動作手法については、本発明の方法実施形態を参照されたい。本発明の装置実施形態における機能モジュール及びユニットは、別個に実施されてもよく、また、１つ以上のユニット内に統合されることによって実施されてもよい。
【００８５】
本発明の実施形態は、前述の、ショートメッセージを処理する装置を含む、通信システムを更に提供する。ショートメッセージを処理する装置の特定の動作手法については、本発明の方法実施形態を参照されたい。
【００８６】
本発明の実施形態における技術的解決法では、端末の接続状態、及び動作モードに従って、ショートメッセージ処理手法を選択し、これにより、端末が、ショートメッセージを、現在のＰＳサービスを中断させないという前提で、受信することが可能になり、ユーザ体験が向上し、ショートメッセージサービスのリソース消費が減少し、ネットワークリソースの利用率が最適化される。
【００８７】
本発明の第７の実施形態は、通信システムを提供する。図９を参照すると、このシステムは、端末９１と、ＭＭＥ９３と、ＳＧＳＮ９２とを含む。前述のＳＧＳＮ９２は、現在のサービスタイプがショートメッセージであることを判定し、ＭＭＥ９３によって送信されたショートメッセージを受信するように構成され、かつ、ショートメッセージを、確立されたパケット交換ＰＳ接続を介して、端末９１に配信するように構成される。
【００８８】
本発明の実施形態で提供されるシステム内の装置の特定の動作方法については、本発明の第１及び第２の実施形態で提供される、ショートメッセージを処理する方法を参照されたい。本発明の実施形態で提供される技術的解決法では、現在のサービスタイプがショートメッセージサービスであることを判定した後、２Ｇ又は３Ｇネットワーク内のＳＧＳＮは、受信されたショートメッセージを、ＰＳ接続を介して、端末に配信し、これにより、端末が、ショートメッセージを、現在のＰＳサービスを中断させないという前提で、受信することが可能になり、ユーザ体験が向上する。
【００８９】
当業者は、本発明が、ソフトウェアと、必要な汎用ハードウェアプラットフォームとを介して実施されてもよいということを明確に理解するであろう。そのような理解に基づいて、本発明の技術的解決法、又は、従来技術に寄与する部分は、ソフトウェア製品の形態で実施されてもよい。コンピュータソフトウェア製品は、ＲＯＭ／ＲＡＭ、磁気ディスク、コンパクトディスクなどの、記憶媒体内に記憶されてもよく、これは、コンピュータ装置（パーソナルコンピュータ、サーバ、又はネットワーク装置であってもよい）が、本発明の各実施形態を、又は、実施形態のいくつかの部分において説明された方法を、実行することを可能にするように構成された、いくつかの命令を含む。
【００９０】
前述の説明は、本発明の特定の実施形態にすぎず、本発明の保護範囲はこれに限定されない。本発明において開示された技術的範囲内の、当業者によって容易に案出され得るいかなる修正又は置換も、本発明の保護範囲内に入る。従って、本発明の保護範囲は、特許請求の範囲によって決まる。
【図１】
0005623630.tif 000002
【図２】
0005623630.tif 000003
【図３】
0005623630.tif 000004
【図４】
0005623630.tif 000005
【図５】
0005623630.tif 000006
【図６】
0005623630.tif 000007
【図７】
0005623630.tif 000008
【図８】
0005623630.tif 000009
【図９】
0005623630.tif 000010